(57)【要約】      （修正有）【課題】可撓性ＯＬＥＤを損傷することなしに、簡潔、迅速かつ安価に可撓性ＯＬＥＤの形状を適合および維持することができる可撓性面光源並びにライト装置を提供する。【解決手段】面光源１を備えたライト装置に関し、この装置は、可撓性面光源１と、可撓性面光源１の少なくとも一部を、所定の形状に従って適合させるように構成されたハウジング２と、可撓性面光源１の前記一部を、ハウジング２に対して押圧するように構成されたキャップ３と、を備える。ハウジング２及び又はキャップ３は、可撓性面光源１により放射された光を通過させることが可能である。【選択図】図２Ａ
2018056120.tif 000002
【特許請求の範囲】
【請求項１】
自動車照明および／または信号装置用のライト装置（６）であって、
−  可撓性面光源（１，４１，６１）と、
−  前記可撓性面光源の少なくとも一部を、所定の形状に一致させるように配置されたハウジング（２，４２，６２）と、
−  前記可撓性面光源の前記一部を、前記ハウジングに対して押圧するように配置されたキャップ（３，４３，６３）と、を備え、
前記ハウジングおよび／または前記キャップは、前記可撓性面光源により放射された光を通過させることが可能である、ことを特徴とするライト装置。
【請求項２】
前記キャップ（３，４３，６３）は、前記ハウジング（２，４２，６２）と一体形成されている、ことを特徴とする請求項１に記載のライト装置（６）。
【請求項３】
前記キャップ（３，４３，６３）と、前記ハウジング（２，４２，６２）とを連結し、前記キャップが前記ハウジングに対して移動して、前記ハウジングと前記キャップとの間に前記可撓性面光源（１，４１，６１）の挿入を可能とするように配置されているヒンジを、前記装置は備える、ことを特徴とする請求項１に記載のライト装置（６）。
【請求項４】
前記ハウジング（２，４２，６２）と、前記キャップ（３，４３，６３）とは、２つの個別の要素である、ことを特徴とする請求項１に記載のライト装置（６）。
【請求項５】
前記ハウジング（２，４２，６２）と、前記キャップ（３，４３，６３）とは、接触して、前記可撓性面光源（１，４１，６１）を封入するように構成されている、ことを特徴とする請求項４に記載のライト装置（６）。
【請求項６】
前記可撓性面光源（１，４１，６１）は、前記ハウジング（２，４２，６２）の底壁（１７，４４，６４）に配置され、
前記可撓性面光源は、前記キャップ（３，４３，６３）の押圧壁（１５，４５，６５）により、前記ハウジングの底壁に対して押圧される、ことを特徴とする請求項５に記載のライト装置（６）。
【請求項７】
前記ハウジング（２，４２，６２）は、前記ハウジング（２，４２，６２）の底壁（１７，４４，６４）から延び、かつ、前記可撓性面光源（１，４１，６１）を収容するエンクロージャを定める、周囲フランジ（１６，４８，４９，６６）を備える、ことを特徴とする請求項６に記載のライト装置（６）。
【請求項８】
前記キャップ（３，４３，６３）の少なくとも一部は、前記ハウジング（２，４２，６２）の前記周囲フランジ（１６，４８，４９，６６）に配置され、前記エンクロージャを封入する、ことを特徴とする請求項７に記載のライト装置（６）。
【請求項９】
前記キャップ（１５，４５，６５）の押圧壁を定める、前記キャップ（３，４３，６３）の少なくとも一部は、前記エンクロージャに挿入されて、前記可撓性面光源（１，４１，６１）を、前記ハウジング（２，４２，６２）の底壁（１７，４４，６４）に対して押圧する、ことを特徴とする請求項７または８に記載のライト装置（６）。
【請求項１０】
前記可撓性面光源（１，４１，６１）は、有機発光ダイオードである、ことを特徴とする請求項１乃至９のいずれかに記載のライト装置（６）。
【請求項１１】
前記キャップ（３，４３，６３）の少なくとも押圧壁（１５，４５，６５）は、透明または半透明材料で作製されている、ことを特徴とする請求項１乃至１０のいずれかに記載のライト装置（６）。
【請求項１２】
前記キャップ（３，４３，６３）の少なくとも押圧壁（１５，４５，６５）は、前記可撓性面光源（１，４１，６１）により放射された光をカラーリングすることが可能な材料で作製されている、ことを特徴とする請求項１乃至１１のいずれかに記載のライト装置（６）。
【請求項１３】
前記キャップ（３，４３，６３）の押圧壁（１５，４５，６５）の少なくとも一部は、前記可撓性面光源（１，４１，６１）により放射された光の少なくとも一部を屈折させて、所定の測光機能を生成するように構成されている、ことを特徴とする請求項６乃至１２のいずれかに記載のライト装置（６）。
【請求項１４】
前記可撓性面光源（１，４１，６１）の相補的な係止手段（３１）と協同して、前記ハウジング（２，４２，６２）内の前記可撓性面光源の遊びを除去することが可能な係止手段（３０）を備える、ことを特徴とする請求項１乃至１３のいずれかに記載のライト装置（６）。
【発明の詳細な説明】
【技術分野】
【０００１】
本発明は、特に自動車用の照明および／または信号の分野に関する。より具体的には、本発明は、自動車照明および／または信号装置用のライト装置に関する。
【背景技術】
【０００２】
自動車には、可撓性有機発光ダイオード（ＯＬＥＤ：Organic Light-Emitting Diode）がますます広く用いられている。実際に、可撓性ＯＬＥＤは、形態およびスタイルの多数の可能性を提示し、よって、車両の審美的アピールや、特定の視覚的な特徴に寄与する。
【０００３】
さらに、可撓性ＯＬＥＤは、放射面から光を放射し、よって、見られる方向に関わらず、この放射面の均一な視覚的表現を得ることも可能にする。車両は、次いで、より可視となり、車両の安全性および審美的外観を増加させる。
【０００４】
しかし、車両のライト装置にＯＬＥＤを組み込み可能とするには、その可撓性のため、これらの可撓性ＯＬＥＤの形状を維持する必要がある。
【０００５】
仏国特許第３０１８３９３号は、この可撓性ＯＬＥＤに対して樹脂をモールディングすることにより、可撓性ＯＬＥＤを適合させる方法を開示している。しかし、この成形方法は、可撓性ＯＬＥＤに対する損傷のリスクをもたらす。さらに、この方法は、複雑で長時間および費用のかかる製造方法を課すものである。従って、可撓性ＯＬＥＤを損傷することなしに、簡潔、迅速かつ安価に可撓性ＯＬＥＤの形状を適合および維持する必要がある。
【発明の概要】
【発明が解決しようとする課題】
【０００６】
本発明の１つの目的は、よって、この必要性を満たすことである。
【課題を解決するための手段】
【０００７】
このために、本発明は、自動車照明および／または信号装置用のライト装置を提案し、ライト装置は、
−  可撓性面光源と、
−  可撓性面光源の少なくとも一部を、所定の形状に従って適合させるように構成されたハウジングと、
−  可撓性面光源の前記一部を、ハウジングに対して押圧するように構成されたキャップと、を備え、
ハウジングおよび／またはキャップは、可撓性面光源により放射された光を通過させることが可能である。
【０００８】
従って、本発明により、可撓性ＯＬＥＤは、損傷することなしに適合させることができ、それは、この可撓性ＯＬＥＤに対して樹脂をモールディングしないからである。さらに、ハウジングと、キャップとの使用は、可撓性ＯＬＥＤの形状を、ごく容易、非常に迅速かつ安価に、適合および維持することを可能にする。
【０００９】
好適には、本発明は、道路照明装置、車両信号装置またはさらに車両内照明装置に実施することができる。
【００１０】
面光源は、光放射面を有する光源であり、光放射面の寸法は、面光源の高さよりも実質的に大きく、例えば、１ｃｍ２を超え、さらに１０ｃｍ２を超える領域を有すると理解すべきである。
【００１１】
可撓性光源は、特に折りたたむか折り曲げることにより、破損せずに、かつ光放射機能を実質的に変えることなく変形させることができる光源であると理解すべきである。
【００１２】
好適には、可撓性面光源の前記部分は、前記可撓性面光源の光放射面を備える。
【００１３】
好ましくは、可撓性面光源の全ては、所定の形状に従い適合される。
【００１４】
以下、本明細書では、キャップは、光を通過させることが可能であるとみなされる。代替的または累積的に、本発明の範囲から逸脱せずに、光を通過させることが可能なのは、ハウジングであるとみなすことが可能である
１つの実施形態によれば、キャップは、ハウジングと一体形成されている。必要に応じて、ハウジングおよびキャップは、スリットとして出現するキャビティを形成するように構成することができ、このスリットを通して、可撓性面光源の前記部分を、キャビティに挿入することができる。
【００１５】
もう１つの実施形態によれば、ハウジングとキャップとは、２つの個別の要素である。
【００１６】
例えば、キャップと、ハウジングとを連結し、かつ、キャップがハウジングに対して移動して、ハウジングとキャップとの間に可撓性面光源の挿入を可能とするように構成されている、リンク手段、特にヒンジを、装置は備える。
【００１７】
変形例として、ハウジングとキャップとは、接触して、可撓性面光源、特に可撓性面光源の全体を封入するように構成されている。”封入”は、ハウジングとキャップとの間の接触が、特に湿気から密閉された密閉カプセルを形成するように構成されることを意味すると理解すべきである。可撓性面光源の封入は、キャップと可撓性面光源との間への妨害要素の侵入、例えば、湿気の侵入によって引き起こされる、この可撓性面光源の劣化を防止することを可能にする。
【００１８】
好適には、可撓性面光源は、ハウジングの底壁に配置され、可撓性面光源は、キャップの押圧壁により、ハウジングの底壁に対して押圧される。
【００１９】
例えば、ハウジングは、ハウジングの底壁から、特に底壁の周囲から延び、かつ、可撓性面光源を収容するエンクロージャを定義する周囲フランジを備える。必要に応じて、キャップの少なくとも一部は、ハウジングの前記周囲フランジに配置され、エンクロージャを封入する。変形例において、ハウジングの前記周囲フランジは、前記可撓性面光源が底壁に配置される際に、可撓性面光源の放射面と比べて突出する。もう１つの変形例において、ハウジングの前記周囲フランジは、前記可撓性面光源が底壁に配置される際に、可撓性面光源の放射面と同一平面にある。
【００２０】
好適には、キャップの押圧壁を定義する、キャップの少なくとも一部は、エンクロージャに挿入されて、可撓性面光源を、ハウジングの底壁に対して押圧する。変形例において、キャップの周囲領域は、ハウジングの周囲フランジに配置されるのに対し、周囲領域と比べて突出、かつ、キャップの押圧壁を定義する、キャップの中央領域は、エンクロージャに挿入される。もう１つの変形例において、キャップの全体が、エンクロージャに挿入されて、可撓性面光源を押圧する。
【００２１】
好適には、キャップは、キャップの押圧壁から延び、かつ、可撓性面光源を受けるためのエンクロージャを定義する周囲フランジを備える。好ましくは、キャップの周囲フランジは、ハウジングの一部、特に、底壁を囲むハウジングの周囲領域に配置される。好適には、ハウジングの少なくとも一部、ハウジングの底壁を定義する前記一部は、キャップの周囲フランジにより形成されたエンクロージャに挿入される。変形例において、ハウジングの全体が、エンクロージャに挿入される。
【００２２】
好適には、ハウジングとキャップとは、互いに溶接される。必要に応じて、ハウジングおよび／またはキャップのうちの一方の周囲フランジを、ハウジングおよび／またはキャップのうちの他方の周囲領域に溶接することができる。変形例として、ハウジングおよび／またはキャップは、ハウジングおよび／またはキャップのうちの他方の周囲フランジにより定義されたエンクロージャに挿入され、ハウジングおよび／またはキャップの周囲外壁は、ハウジングおよび／またはキャップのうちの他方の周囲内壁と接触している。必要に応じて、周囲外壁の一部は、周囲内壁の一部に溶接される。溶接は、特に、レーザを用いて行うことができる。
【００２３】
変形例において、ハウジングとキャップとは、互いに接着される。
【００２４】
もう１つの変形例において、ハウジングおよびキャップは、機械的な固定手段によって互いに固定される。好適には、キャップは、オスのスナップ係合手段、特にクリップを備え、ハウジングは、キャップとハウジングとが接触状態とされて、機械的な固定手段を形成する際に、オスのスナップ係合手段と協同するメスのスナップ係合手段、特にノッチを備える。
【００２５】
好ましくは、可撓性面光源は、１ｃｍ２を超え、さらには１０ｃｍ２を超える光放射面を備える。優先的には、可撓性面光源は、可撓性有機発光ダイオードである。
【００２６】
好適には、キャップの少なくとも押圧壁は、可撓性面光源により放射された光を通過させる透明または半透明材料で作製されている。
【００２７】
好適には、キャップの少なくとも押圧壁は、可撓性面光源により放射された光をカラーリングすることが可能な材料で作製されている。着色光の放射は、光源がアクティブ化された際に車両の審美的外観を高め、かつ差別化することを可能にし、かつ、特定の色を必要とする、所定の調整的測光機能を生成するように構成されている。
【００２８】
好適には、キャップの少なくとも押圧壁を、透明の熱可塑性材料内で作製する。
【００２９】
好適には、透明の熱可塑性材料は、ポリメチルメタクリレート（ＰＭＭＡ：Polymethyl Methacrylate）またはポリカーボネート（ＰＣ：Polycarbonate）である。
【００３０】
好適には、キャップの少なくとも押圧壁は、光を通過させることが可能な正孔を備える。必要に応じて、キャップを、透明または半透明ではなく不透明にすること、例えば、穿孔アルミニウム板により形成するものと定めることも可能である。
【００３１】
好適には、キャップの押圧壁の少なくとも一部は、スクリーン印刷される。必要に応じて、このスクリーン印刷は、可撓性面光源により光が放射される際、および／または、面光源による光放射がない場合に、シンボルまたはロゴの表示を可能にする。
【００３２】
好適には、キャップの押圧壁の少なくとも１つは、可撓性面光源により放射された光の少なくとも一部を屈折させて、所定の測光機能を生成するように構成されている。例えば、キャップの押圧壁の少なくとも前記一部は、中空または粗粒化パターンなどの拡散する光学パターンを備える。
【００３３】
好適には、装置は、特にこの可撓性面光源の周囲に形成されて、ハウジング内の前記可撓性面光源の遊びを除去する、可撓性面光源の相補的な係止手段と協同可能な係止手段を備える。例えば、キャップおよび／またはハウジングは、前記係止手段を形成する突出要素を備え、可撓性面光源は、前記相補的な係止手段を形成するノッチを備える。
【００３４】
好適には、ハウジングは、不透明および／または反射材料で作製される。
【００３５】
変形例において、ハウジングは、透明材料で作製される。
【００３６】
好適には、ハウジングは、熱可塑性材料で作製される。
【００３７】
変形例において、所定の形状は、３次元の表面である。”３次元の表面”は、少なくとも１つの所与の方向に湾曲された面であること、すなわち、３つのデカルト座標が、表面の点のそれぞれを定義する必要があり、選択された基準フレームの関係なしにこれを行うこと、を意味すると理解すべきである。好適には、所定の形状は、制御表面である。
【００３８】
好適には、ハウジングおよびキャップは、同一の外形を呈し、この外形は、可撓性面光源を、その表面全てに渡って、より容易に適合させることを可能にする。
【００３９】
好適には、ライト装置は、ハウジングとキャップとにより形成されるエンクロージャ内に接着剤を持たない。これにより、可撓性面光源に対する、著しい機械的応力の印加を回避する。
【００４０】
好適には、ライト装置は、照明または信号装置内に、装置を固定するための固定手段を備える。必要に応じて、ハウジングおよび／またはキャップは、固定手段を備える。
【００４１】
本発明の他の特徴および利点は、説明および図面から、より明らかとなるであろう。
【図面の簡単な説明】
【００４２】
【図１】本発明に係るライト装置を表す図。
【図２Ａ】第１の実施形態に係る、本発明に係るライト装置の面Ｐ１に沿って見た論理図。
【図２Ｂ】図２Ａに表されるライト装置の面Ｐ２に沿って見た論理図。
【図３】第２の実施形態に係る、本発明に係るライト装置の横断面図に沿って見た論理図。
【図４】第３の実施形態に係る、本発明に係るライト装置の横断面図に沿って見た論理図。
【図５】本発明に係る照明および／または信号装置の実施用に用いることができる可撓性面光源の実施形態の論理図。
【発明を実施するための形態】
【００４３】
図１は、自動車照明および／または信号あるいは内部照明装置用の、本発明に係るライト装置６を表している。ライト装置６は、可撓性ＯＬＥＤ１と、ハウジング２と、キャップ３とを備えている。このような光源の例示的な実施形態を、後に図５に表す。ハウジング２は、制御表面を形成する方向に可撓性ＯＬＥＤを屈曲させることにより、可撓性ＯＬＥＤ１を適合することを可能にする。キャップ３は、可撓性ＯＬＥＤ１をハウジング２に押圧することを可能にする。
【００４４】
ハウジング２は、また、この例では、ライト装置６を照明または信号装置に固定するために、ネジを受けることを意図したオリフィスの形状で形成される、固定手段４を備える。
【００４５】
図２Ａおよび図２Ｂは、それぞれ、図１の装置６の面Ｐ１およびＰ２に従う断面図を表す。可撓性ＯＬＥＤ１は、ハウジング２の底壁１７に配置され、前記可撓性ＯＬＥＤ１は、キャップ３の押圧壁１５により、ハウジング２の底壁１７に押圧される。可撓性ＯＬＥＤ１は、よって、ハウジング２により所定の形状に従って適合され、キャップ３により、この形状に維持される。ハウジング２とキャップ３とは、同一の外形を呈する。さらに、ハウジング２とキャップ３とは、可撓性ＯＬＥＤ１の全体を封入する。可撓性ＯＬＥＤ１は、よって、外部からの、特に水分からの攻撃から保護され、これは、可撓性ＯＬＥＤ１の早期の劣化を回避する。
【００４６】
キャップ３は、押圧壁１５から延び、かつ、可撓性ＯＬＥＤ１を収容するためのエンクロージャを定義する周囲フランジ１６を備える。
【００４７】
ハウジング２の全体は、キャップ３の周囲フランジ１６により形成されたエンクロージャに挿入される。ハウジング２は、周囲外壁１８を備え、キャップ３は、周囲内壁１９を備え、これらの周囲壁１８および１９の２つの部位は、ハウジング２をキャップ３に挿入する際に接触する。ハウジング２の周囲外壁１８は、キャップ３の周囲内壁１９と、これらの接触する部位にて溶接される。
【００４８】
表される実施形態において、可撓性ＯＬＥＤ１は、２つの上および下の光放射面３３を有する。キャップ３の押圧壁１５は、可撓性ＯＬＥＤ１の上放射面３３により放射された光を通過させる透明材料で作製される。この透明材料は、ポリメチルメタクリレートである。キャップ３の押圧壁１５は、可撓性ＯＬＥＤ１の上放射面３３からの光を拡散し、かつ、ライト装置を離れる光に均一な外観を与えることを可能にする、キャップ３の上面の粗粒化により形成された光学パターン１４を備える。
【００４９】
ハウジング２は、反射材料で作製され、この可撓性ＯＬＥＤ内にて、上放射面に向けて、従ってキャップ３の押圧壁１５に向けて、可撓性ＯＬＥＤ１の下放射面３３により放射された光を反射する。キャップ３の周囲フランジ１６は、凸状の突出要素３０を備える。可撓性ＯＬＥＤ１は、この可撓性ＯＬＥＤ１の放射面３３を縁取る、特にその電源のための機能的領域３２を有する。可撓性ＯＬＥＤ１は、機能的領域３２の外周に作製された凹状のノッチ３１をさらに備える。ノッチ３１は、突出要素３０の断面と同一の断面を呈し、これらの突出要素３０は、可撓性ＯＬＥＤ１がキャップ３とハウジング２とにより封入される際に、可撓性ＯＬＥＤ１のノッチ３１に、位置を合わせて挿入される。これらの突出要素３０と、これらのノッチ３１とは、よって、ＯＬＥＤがハウジング２のキャップ３により封入される際に、機能的領域３２の外周とキャップ３の周囲フランジ１６との間に定義される、可撓性ＯＬＥＤ１の遊びを無くすための係止手段と、相補的な係止手段とを形成する。
【００５０】
ライト装置の第２の実施形態は、図３の断面図に従って表される。
【００５１】
可撓性ＯＬＥＤ４１は、ハウジング４２の底壁４４に配置され、可撓性ＯＬＥＤ４１は、キャップ４３の押圧壁４５により、ハウジング４２の底壁４４に押圧される。
【００５２】
ハウジング４２は、ハウジング４２の底壁４４から延長し、かつ、可撓性ＯＬＥＤ４１を収容するエンクロージャを形成する、周囲フランジ４８を備える。ハウジング４２の前記周囲フランジ４８は、可撓性ＯＬＥＤ４１の放射面と比べて突出する。キャップ４３の押圧壁４５は、エンクロージャに挿入され、可撓性ＯＬＥＤ４１を、ハウジング４２の底壁４４に対して押圧し、キャップ４３の周囲領域５０は、ハウジング４２の周囲フランジ４８に配置される。
【００５３】
キャップ４３は、キャップ４３の周囲領域５０から延びる周囲フランジ４９を備えており、周囲領域５０が、周囲フランジ４９と、押圧壁４５との間に窪みを形成し、この窪みは、ハウジング４２の周囲フランジ４８を収容している。
【００５４】
キャップ４３の周囲フランジ４９は、周囲内壁５２を備え、ハウジング４２の周囲フランジ４８は、周囲外壁５３を備え、これらの周囲壁５２および５３の２つの部分は、キャップ４３の押圧壁４５を、ハウジング４２のエンクロージャに挿入する際に接触する。キャップ４３の周囲内壁５２は、クリップ４６を備え、ハウジング４２の周囲外壁５３は、ノッチ４７を備える。クリップ４６およびノッチ４７は、互いに弾性的に係合し、ハウジング４２とキャップ４３とを互いに固定する。ハウジング４２と、キャップ４３とは、これにより、可撓性ＯＬＥＤ４１を封入することになる。
【００５５】
可撓性ＯＬＥＤ４１は、よって、ハウジング４２により所定の形状に従って適合され、キャップ４３によって簡潔、迅速かつ安価にこの形状に維持される。
【００５６】
本発明に係るライト装置の別の実施形態を、このような装置の横断面図を示す図４に表す。
【００５７】
可撓性ＯＬＥＤ６１は、ハウジング６２の底壁６４に配置され、可撓性ＯＬＥＤ６１は、キャップ６３の押圧壁６５により、ハウジング６２の底壁６４に対して押圧される。
【００５８】
ハウジング６２は、ハウジング６２の底壁６４の外周から延び、かつ、可撓性ＯＬＥＤ６１を収容するエンクロージャを定義する、周囲フランジ６６を備える。ハウジング６２の周囲フランジ６６は、可撓性ＯＬＥＤ６１の放射面と同一平面にある。
【００５９】
キャップ６３の周囲領域６７は、ハウジング６２の前記周囲フランジ６６に配置される。また、ハウジング６２の周囲フランジ６６は、キャップ６３の周囲領域６７に溶接されるが、周囲領域６７は、キャップ６３が定位置に置かれてエンクロージャを封入する際に、ハウジング６２の周囲フランジ６６と接触する。
【００６０】
ハウジング６２とキャップ６３とは、よって、可撓性ＯＬＥＤ６１を封入することになる。
【００６１】
図５は、図１、図２Ａおよび図２Ｂに既に表されている実施形態に用いられ、かつ、図３および図４で説明される実施形態にも同様に用いることが可能な可撓性ＯＬＥＤに従う、可撓性ＯＬＥＤを表す。
【００６２】
可撓性ＯＬＥＤ１は、カソード７０と、アノード７１と、有機層７２と、のいくつかの層を備える。有機層７２は、異なる有機材料で生成された様々なプライ７５〜７９を備える。光放射プライ７７に加えて、有機層は、放射プライ７７への電子の移動を促進するプライ７５と、放射プライ７７への正孔の移動を促進するプライ７９と、を備える。層は、また、上層７７〜７９から来る正孔を固定するプライ７６と、下プライ７５〜７７から発生する電子を固定するプライ７８と、を備える。これらのプライは、共に、その厚さが調整されて光学的共鳴を生成するマイクロキャビティを構成する。よって、選択的な干渉リフレクタが生成され、共振キャビティを構成する。
【００６３】
光放射プライ７７は、上放射面３３と、下放射面３３とを備える。
【００６４】
電圧発生器または電流源８０が、可撓性ＯＬＥＤ１に電力を供給可能にする。
【００６５】
有機層に電流が通過する際、上放射面３３は、光放射に対して透明の上プライ７８および７９と、アノード７１とを伝播する光放射７３を発し、下放射面３３は、光放射に対して透明の下プライ７６および７５と、カソード７０とを伝播する光放射を発する。
【００６６】
アノード７１およびカソード７０は、透明の酸化インジウムスズ（ＩＴＯ：Indium-tin Oxide）で作製される。
【図１】
2018056120.tif 000003
【図２Ａ】
2018056120.tif 000004
【図２Ｂ】
2018056120.tif 000005
【図３】
2018056120.tif 000006
【図４】
2018056120.tif 000007
【図５】
2018056120.tif 000008
【外国語明細書】
2018056120000001.pdf